(57)【要約】【課題】ガイド部材の誤装着を惹起することなくガイド部材を容易に装着することが可能な自動販売機を提供する。【解決手段】前面が開口した本体キャビネット１、前記本体キャビネット１にヒンジ機構により開閉自在に取付けられた外扉２、前記本体キャビネット１の庫内を閉塞する断熱内扉３、前記本体キャビネット１の庫内に引出し自在に格納されるとともに商品を収容する商品収納ラック４を備え、前記商品収納ラック４の商品収納コラム４３に商品の長さサイズを規制するガイド部材４５を装着してなる自動販売機であって、前記商品収納コラム４３を画成する壁面（隔壁４２０若しくは通路幅調整板４４０の壁面）であって商品の長さサイズに応じた前記ガイド部材４５の装着位置に商品の長さサイズを表す記号（例えば、内扉の壁面に貼着された銘板に記入された記号）を刻印することによりガイド部材４５の装着位置を一目瞭然とする。【選択図】図１
2009129383.tif 000002
【特許請求の範囲】
【請求項１】
前面が開口した本体キャビネットと、前記本体キャビネットにヒンジ機構により開閉自在に取付けられた外扉と、前記本体キャビネットの庫内前面を閉塞する断熱内扉と、前記本体キャビネットの庫内に引出し自在に格納されるとともに商品を収容する商品収納ラックとを備え、前記商品収納ラックの商品収納コラムに商品の長さサイズを規制するガイド部材を装着してなる自動販売機において、
前記商品収納コラムを画成する壁面であって商品の長さサイズに応じた前記ガイド部材の装着位置に商品の長さサイズを表す記号を刻印してなることを特徴とする自動販売機。
【請求項２】
商品収納ラックは箱型のラックケースの内部に隔壁を挟んで前後に商品収納コラムを画成し、前記隔壁には商品の長さサイズに対応した複数列の係合孔を有し、ガイド部材は前記係合孔に係合する係止片を有し、前記複数列の係合孔に対応して記号が刻印されていることを特徴とする請求項１に記載の自動販売機。
【請求項３】
商品収納コラムには隔壁に対峙して通路幅調整板を有し、当該通路幅調整板に商品の長さサイズに対応した複数列の係合孔を有し、前記複数列の係合孔に対応して記号が刻印されていることを特徴とする請求項１または請求項２に記載の自動販売機。
【請求項４】
係合孔は上下方向に複数段形成され、複数段のそれぞれの列の係合孔に記号が刻印されていることを特徴とする請求項１乃至請求項３のいずれか１つに記載の自動販売機。
【請求項５】
本体キャビネットの庫内前面を閉塞する内扉を有し、当該内扉の壁面に商品の長さサイズとガイド部材の装着位置との相関関係を示す表を有し、商品収納コラムを画成する壁面に刻印された記号は前記表に記入されたガイド部材の装着位置を表す記号と同一の記号であることを特徴とする請求項１乃至請求項４のいずれか１つに自動販売機。
【発明の詳細な説明】
【技術分野】
【０００１】
この発明は、本体キャビネットの庫内に商品収納ラックが引出し自在に格納され、前記商品収納ラックを庫内から引出した状態で紙パック入り飲料，缶入り飲料，瓶入り飲料，ペットボトル入り飲料などの各種商品を補充するようにした自動販売機に係り、特に商品の長さサイズに応じて商品収納ラックにおける商品収納コラム（商品収納通路）の奥行き方向の寸法をガイド部材によって規制するものであって、前記ガイド部材の装着を容易にした自動販売機に関する。
【背景技術】
【０００２】
従来、自動販売機に搭載される商品収納ラックに関して、本体キャビネットの庫内に商品収納ラックが引出し自在に格納され、前記商品収納ラックを庫内から引出した状態で紙パック入り飲料，缶入り飲料，瓶入り飲料，ペットボトル入り飲料などの各種商品を補充するようにした商品収納ラックが知られている。この種の商品収納ラックを搭載した自動販売機の構成を図３に示す。図において、１は前面が開口した箱形の断熱筐体としてなる自動販売機の本体キャビネットであり、該本体キャビネット１にはその前面開口を開閉する片開き式の外扉２が備えられている。この外扉２は本体キャビネット１の左端側の上面に固着されたヒンジ金具１１に取付けられたヒンジピン１０および本体キャビネット１の基台１ｂに取付けられたヒンジピン（不図示）により開閉自在に支持されている。前記本体キャビネット１の庫内は、断熱仕切板１ａにより左右に並ぶ複数の商品収納室（この例では２室）に仕切られており、各商品収納室ごとに商品収納ラック４、商品搬出シュータ５および冷却／加熱ユニット（不図示）が上下方向に収設されている。３は庫内前面を閉塞する断熱内扉であり、前記商品搬出シュータ５と外扉２の商品取出口２ａを連係して開口されたフラッパ付きの商品搬出口３ａを有し、扉面には銘板３ｂが貼着されている。６は商品収納室内の冷却ユニットと冷凍サイクルを構成する凝縮器，圧縮機などを収納した機械室である。なお、前記外扉２の前面には商品見本を展示するディスプレイ室，硬貨投入口，紙幣投入口，金銭返却レバー，釣銭返却口，商品取出口，ロック付きハンドルなどが設けられている。
【０００３】
前記商品収納ラック４の構成を図４に示し、図４は商品収納ラック４を左斜め上面より見た斜視図である。商品収納ラック４は、一側面（自動販売機の前面から見て右側面）および底面を開放した箱型のラックケース４１の内部に隔壁４２（一部破断）を挟んで前後に商品収納コラム４３を画成し、隔壁４２の下部にベンド機構７を組付けて構成され、各商品収納コラム４３の開放面には積み重ねて収容された商品の脱落を防止する扉体（不図示）を備えている。前記ベンド機構７は周知のように下部フラッパ７ａおよび上部フラッパ７ｂを備え、下部フラッパ７ａの上に商品、例えば紙パック入り飲料９ａ，缶入り飲料９ｂを積み重ねて収容する。前記ベンド機構７は隔壁４２に内蔵されたベンドモータ（不図示）により下部フラッパ７ａおよび上部フラッパ７ｂを選択的に制御して各商品収納コラム４３に収納された商品を個別に搬出するように構成されている。なお、８は商品の高さサイズに応じて上部フラッパ７ｂを上下方向に移動させて上部フラッパ７ｂの高さ位置を設定する高さ調節機構である。
また、図４において、４４は商品収納コラム４３の前後方向の通路幅（商品径）を規制する通路幅調整板であり、ラックケース４１の前壁および後壁に一端が軸支された上下一対のリンク機構（不図示）の他端が軸支されている。当該通路幅調整板４４は前記リンク機構を介して商品収納通路（商品収納コラム４３）内に出没して商品径に応じた商品通路幅を設定するように構成されている。この通路幅調整板４４の壁面には後述するガイド部材を係止する複数の係合孔４４１（例えば、破断した隔壁４２の部分から見えるように上下方向に３段、奥行き方向に２列）が形成されている。なお、前述した隔壁４２の壁面にも前記通路幅調整板４４の係合孔４４１と同様な複数の係合孔（図ではラックケース４１に隠れて見えないが、通路幅調整板４４の係合孔４４１と区別するため参照符号を４２１とする）が形成されている。４５は商品収納コラム４３の奥行き方向（商品長さ）の商品通路幅を規制するガイド部材である。このガイド部材４５は、図５の（ａ）に示すように、前記通路幅調整板４４或いは隔壁４２に形成した係合孔４４１，４２１に係合する係止片４５１を備えている。前記ガイド部材４５の係止片４５１はガイド部材４５の縁部から突出するＴ形に形成されている。一方、前記係止片４５１が係合する係合孔４４１（係合孔４２１）は、図５の（ｂ）に拡大して示すように、上下方向に細長い長孔として形成されている（例えば、特許文献１）。なお、図５の（ｂ）および図４において４４２は目印穴であり、奥行き方向に複数列の係合孔４４１のうち、最前列の係止孔４４１の位置に対応して形成されている。また、図５の（ａ）において、４５２はガイド部材４５の指掛け穴である。
【０００４】
前記通路幅調整板４４および隔壁４２の係合孔４４１，４２１は販売する商品の長さサイズ（又は銘柄）に対応して形成されており、商品の長さサイズ（銘柄）と複数列（奥行き方向）の係合孔４４１，４２１との相関関係を示す表が、内扉３（図３）の扉面に貼着された銘板３ｂに記入されている。商品の長さサイズ（銘柄）と複数列（奥行き方向）の係合孔４４１との相関関係は、例えば、通路幅調整板４４および隔壁４２にそれぞれ奥行き方向に２列および３列の係合孔４４１，４２１が形成されていると仮定した場合、都合５列の係合孔４４１，４２１に対して通し番号を、通路幅調整板４４の手前側の列（最前列：通し番号「１」）から奥側の列（後列）に向かい通路幅調整板４４の最後列（通し番号「２」）から隔壁４２に戻って隔壁４２の手前側の列（最前列：通し番号「３」）から再び奥側の列（後列：通し番号「４」「５」）に向かって通し番号（１〜５）を割付け、この通し番号に応じて商品の長さサイズ（銘柄）が定められている。そして、前記銘板３ｂには前記通路幅調整板４４および隔壁４２の係合孔４４１，４２１の構図とその係合孔４４１，４２１の近傍に通し番号（１〜５）を記入した説明図、つまり、複数列の係合孔の構図と通し番号との対応関係が図解されている。
自動販売機を設置して商品収納ラック４に商品を装填する場合、または、商品収納ラック４に収容された商品を長さの異なる新たな商品に入れ替える場合、作業員により商品収納コラム４３内にガイド部材４５が装着される。この作業員によるガイド部材４５の装着は内扉３の壁面の銘板３ｂに記入された商品の長さサイズ（銘柄）と複数列（奥行き方向）の係合孔４４１，４２１との相関関係を示す表（図３の銘板３ｂに記入）から係合孔４４１，４２１の位置（通し番号）を識別した後、当該係合孔４４１，４２１にガイド部材４５を装着する。例えば、前記銘板３ｂの表から通し番号が「２」である場合、作業員は前記銘板３ｂに図解された通路幅調整板４４および隔壁４２の係合孔４４１，４２１と通し番号との対応関係から係合孔４４１の位置を確認、つまり通し番号の「２」に対応する係合孔は通路幅調整板４４の手前（最前列）から２列目であることを確認し、次いで、通路幅調整板４４に形成された目印穴４４２の位置の係合孔４４１が通路幅調整板４４の最前列の係合孔４４１である、すなわち、目印穴４４２が１個で通し番号の「１」であることを確認した後、通路幅調整板４４の２列目の係合孔４４１にガイド部材４５の係止片４５１を係合させる。
【特許文献１】特開２００４−２６５２１３号公報（図４）
【発明の開示】
【発明が解決しようとする課題】
【０００５】
前述した従来の自動販売機においてはガイド部材４５を商品収納コラム４３に装着する際、作業員は通路幅調整板４４（若しくは隔壁４２）に形成した目印穴４４２を確認しつつ、当該目印穴４４２に対応する最前列から奥行き方向に何列目であるかを判断し、次いで当該列の係合孔４４１（若しくは係合孔４２１）にガイド部材４５の係止片４５１を係合させるように構成されている。ところで、通路幅調整板４４および隔壁４２の係合孔４４１，４２１は上下方向に複数段設けられていることから、各段の係合孔４４１，４２１にガイド部材４５の係止片４５１を係合させる際、その都度最前列の係合孔４４１，４２１から何番目の列の係合孔４４１，４２１であるかを確認しつつ係合させねばならない。このため、ガイド部材４５の商品収納コラム４３への装着作業に手間がかかるとともに作業者の勘に頼るために誤った列に装着されるおそれがあるという課題を有する。
そこで、本発明は上記の点に鑑みなされたものであり、ガイド部材の誤装着を惹起することなくガイド部材を容易に装着することが可能な自動販売機を提供することを目的とする。
【課題を解決するための手段】
【０００６】
上記目的を達成するために請求項１にかかる自動販売機は、前面が開口した本体キャビネットと、前記本体キャビネットにヒンジ機構により開閉自在に取付けられた外扉と、前記本体キャビネットの庫内前面を閉塞する断熱内扉と、前記本体キャビネットの庫内に引出し自在に格納されるとともに商品を収容する商品収納ラックとを備え、前記商品収納ラックの商品収納コラムに商品の長さサイズを規制するガイド部材を装着してなる自動販売機において、前記商品収納コラムを画成する壁面であって商品の長さサイズに応じた前記ガイド部材の装着位置に商品の長さサイズを表す記号を刻印してなることを特徴とする。
また、請求項２にかかる自動販売機は請求項１において、商品収納ラックは箱型のラックケースの内部に隔壁を挟んで前後に商品収納コラムを画成し、前記隔壁には商品の長さサイズに対応した複数列の係合孔を有し、ガイド部材は前記係合孔に係合する係止片を有し、前記複数列の係合孔に対応して記号が刻印されていることを特徴とする。
また、請求項３にかかる自動販売機は請求項１または請求項２において、商品収納コラムには隔壁に対峙して通路幅調整板を有し、当該通路幅調整板に商品の長さサイズに対応した複数列の係合孔を有し、前記複数列の係合孔に対応して記号が刻印されていることを特徴とする。
【０００７】
また、請求項４にかかる自動販売機は請求項１乃至請求項３のいずれかにおいて、係合孔は上下方向に複数段形成され、複数段のそれぞれの列の係合孔に記号が刻印されていることを特徴とする。
また、請求項５にかかる自動販売機は請求項１乃至請求項４のいずれかにおいて、本体キャビネットの庫内前面を閉塞する内扉を有し、当該内扉の壁面に商品の長さサイズとガイド部材の装着位置との相関関係を示す表を有し、商品収納コラムを画成する壁面に刻印された記号は前記表に記入されたガイド部材の装着位置を表す記号と同一の記号であることを特徴とする。
【発明の効果】
【０００８】
本発明の自動販売機によれば、前面が開口した本体キャビネットと、前記本体キャビネットにヒンジ機構により開閉自在に取付けられた外扉と、前記本体キャビネットの庫内前面を閉塞する断熱内扉と、前記本体キャビネットの庫内に引出し自在に格納されるとともに商品を収容する商品収納ラックとを備え、前記商品収納ラックの商品収納コラムに商品の長さサイズを規制するガイド部材を装着してなる自動販売機において、前記商品収納コラムを画成する壁面であって商品の長さサイズに応じた前記ガイド部材の装着位置に商品の長さサイズを表す記号を刻印したことにより、ガイド部材を商品収納コラムに装着する際、商品収納コラムの壁面に刻印された商品の長さサイズを表す記号によってガイド部材の装着位置が一目瞭然となり、ガイド部材を誤りなく装着することができる。この場合、商品収納コラムの壁面に刻印された商品の長さサイズを表す記号を、内扉の壁面に予め貼着された銘板に記入された記号、すなわち、商品の長さサイズとガイド部材の商品収納コラムの壁面への装着位置との相関関係を表す記号と同一の記号を用いることによって、ガイド部材の装着をより一層容易なものとすることができる。
【発明を実施するための最良の形態】
【０００９】
以下、本発明の実施の形態を図面に示す実施例に基づいて説明する。図１は本発明の実施の形態の自動販売機の商品収納ラックを示す斜視図、図２は図１の通路幅調整板および隔壁の斜視図である。なお、各図において、図３〜図５と同一のものには同一の符号を付している。
図１において、４で再び商品収納ラックを示し、この商品収納ラックは本体キャビネット１（図３参照）の庫内に引出し自在に格納され、庫内から引出した状態で紙パック入り飲料，缶入り飲料，瓶入り飲料，ペットボトル入り飲料などの各種商品を補充するように構成されている。前記商品収納ラック４は、一側面（自動販売機の前面から見て右側面）および底面を開放した箱型のラックケース４１の内部に隔壁４２０を挟んで前後に商品収納コラム４３を画成し、隔壁４２０の下部にベンド機構７を組付けて構成され、各商品収納コラム４３の開放面には積み重ねて収容された商品の脱落を防止する扉体（不図示）を備えている。前記ベンド機構７は周知のように下部フラッパ７ａおよび上部フラッパ７ｂを備え、下部フラッパ７ａの上に商品、例えば紙パック入り飲料９ａ，缶入り飲料９ｂを積み重ねて収容する。また、前記隔壁４２０には商品の高さサイズに応じて上部フラッパ７ｂを上下方向に移動させて上部フラッパ７ｂの高さ位置を設定する高さ調節機構８が備えられている。前記商品収納コラム４３内には商品収納通路を挟んで隔壁４２０と対峙する通路幅調整板４４０が設けられ、また、商品収納コラム４３の奥行き方向（商品長さ）の通路幅を規制するガイド部材４５が装着されている。
【００１０】
前記通路幅調整板４４０には、図２の（ａ）に示すように、販売する商品の長さサイズ（又は銘柄：以下、銘柄を含めて長さサイズという）に対応して形成された複数列で複数段（図では２列３段）の係合孔４４１が、また、前記隔壁４２０にも、図２の（ｃ）に示すように、販売する商品の長さサイズに対応して形成された複数列で複数段（実施例では３列３段）の係合孔４２１がそれぞれ形成されている。なお、これらの係合孔４４１，４２１は従来装置の係合孔と同一であり、これもまた同様に従来装置と同一のガイド部材４５に形成された係止片４５１（図５参照）が係合されるものである。図２の（ａ）（ｃ）の要部（点線矢印部分）を拡大して示した図２の（ｂ）（ｄ）から明らかなように、通路幅調整板４４０および隔壁４２０の各列の係合孔４４１，４２１の近傍、この例では各列の係合孔４４１，４２１の下方の壁面には記号４００、すなわち、この実施例では数字（１〜５の通し番号）が刻印されている。なお、図２において４４２，４２２は目印穴である。
一方、図３に示したように、断熱内扉３の扉面に銘板３ｂが貼着されている点は本発明においても同様である。その銘板３ｂには、商品の長さサイズ（銘柄）と通路幅調整板４４０および隔壁４２０の複数列（奥行き方向）の係合孔４４１，４２１（通し番号）との相関関係（次の表１）が記入され、また、前記通路幅調整板４４０および隔壁４２０の係合孔４４１，４２１の構図とその係合孔４４１，４２１近傍に通し番号を記入した説明図、つまり、複数列の係合孔と通し番後との対応関係が図解されている。
【００１１】
【表１】
2009129383.tif 000003
なお、表１に記載した商品ａ〜商品ｅの長さサイズは商品ａ＞商品ｂ＞商品ｃ＞商品ｄ＞商品ｅと定められている。
図２および前記表１から明らかなように、通路幅調整板４４０および隔壁４２０の各列の係合孔４４１，４２１の下方に刻印された記号４００は銘板３ｂに記入された通し番号「１」〜「５」と同一の通し番号（１〜５）である。なお、通路幅調整板４４０および隔壁４２０の各列の係合孔４４１，４２１の近傍に刻印した記号４００はアルファベットや商品の銘柄に特有の記号であってもよく、通し番号に限定されるものではない。
【００１２】
次に、本発明の実施の形態の自動販売機におけるガイド部材４５の装着方法について説明する。先ず、図３に示すように外扉２および断熱内扉３を開けるとともに商品収納ラック４を引出し可能状態とする。断熱内扉３を開けるとその扉面に貼着した銘板３ｂが現れるので、その銘板３ｂに記入された上記表１を見て補充する商品の銘柄または商品の長さサイズからガイド部材４５の装着位置、すなわち、通し番号を識別する。次いで、銘板３ｂに図解された複数列の係合孔４４１，４２１と通し番号（１〜５）との対応関係の説明図から通し番号（１〜５）の位置を確認する。そして、庫内から商品収納ラック４を引出して商品収納コラム４３の開放面を閉塞する扉体（商品収納コラム４３に積み重ねて収容された商品の脱落を防止するものであり、図では省略している）を開けると、通路幅調整板４４０および隔壁４２０の各列の係合孔４４１，４２１の近傍に通し番号が刻印されているので、説明図により確認した通し番号（１〜５）が刻印された係合孔４４１，４２１にガイド部材４５の係止片４５１を係合させる。例えば、補充する商品の銘柄が銘柄Ｂ（商品ｂ）である場合、銘板３ｂに記入された上記表１から通し番号「２」を識別するとともに銘板３ｂに図解された説明図から通し番号「２」の係合孔が通路幅調整板４４０の係合孔であることを確認し、これに基づいて商品収納コラム４３における通路幅調整板４４０の壁面に刻印された通し番号「２」の位置の係合孔４４１にガイド部材４５の係止片４５１を係合させる。このようにして商品収納コラム４３へのガイド部材４５の装着が完了する。
【００１３】
前述したように、前面が開口した本体キャビネット１と、前記本体キャビネット１にヒンジ機構により開閉自在に取付けられた外扉２と、前記本体キャビネット１の庫内前面を閉塞する断熱内扉３と、前記本体キャビネット１の庫内に引出し自在に格納されるとともに商品を収容する商品収納ラック４とを備え、前記商品収納ラック４の商品収納コラム４３に商品の長さサイズを規制するガイド部材４５を装着してなる自動販売機において、前記商品収納コラム４３を画成する壁面（隔壁４２０若しくは通路幅調整板４４の壁面）であって商品の長さサイズに応じた前記ガイド部材４５の装着位置に商品の長さサイズを表す記号（例えば、通し番号）を刻印したことにより、ガイド部材４５を商品収納コラム４３に装着する際、商品収納コラム４３の壁面に刻印された商品の長さサイズを表す記号によってガイド部材４５の装着位置が一目瞭然となり、ガイド部材４５を誤りなく装着することができる。この場合、商品収納コラム４３の壁面に刻印された商品の長さサイズを表す記号を、内扉３の壁面に予め貼着された銘板３ｂに記入された記号（例えば、通し番号）、すなわち、商品の長さサイズとガイド部材の商品収納コラムの壁面への装着位置との相関関係を表す記号（例えば、通し番号）と同一の記号を用いることによって、ガイド部材４５の装着をより一層容易なものとすることができる。なお、銘板３ｂに記入された商品の長さサイズとガイド部材の商品収納コラムの壁面への装着位置との相関関係を表す記号は実施の形態の通し番号に限られるものではない。
【図面の簡単な説明】
【００１４】
【図１】本発明の実施の形態を示す自動販売機における商品収納ラックの斜視図である。
【図２】図１の通路幅調整板および隔壁を示し、（ａ）は通路幅調整板の斜視図、（ｂ）は（ａ）の要部拡大図、（ｃ）は隔壁の斜視図、（ｄ）は（ｃ）の要部拡大図である。
【図３】商品収納ラックを備えた自動販売機の従来例を示す斜視図である。
【図４】図４の商品収納ラックの構造を示す斜視図である。
【図５】ガイド部材を示し、（ａ）はガイド部材の斜視図、（ｂ）はガイド部材の係止爪と係合孔とを示す要部拡大図である。
【符号の説明】
【００１５】
１    本体キャビネット
２    外扉
３    内扉
４    商品収納ラック
１０    ヒンジピン
１１    ヒンジ金具
４１    ラックケース
４３    商品収納コラム
４２０    仕切壁
４４０    通路幅調整板
４５    ガイド部材
４２１、４４１    係合孔
４５１    係止片
【図１】
2009129383.tif 000004
【図２】
2009129383.tif 000005
【図３】
2009129383.tif 000006
【図４】
2009129383.tif 000007
【図５】
2009129383.tif 000008